(57)【特許請求の範囲】
【請求項１】
図柄表示装置を備えたパチンコ機であって、
前記図柄表示装置は、
遊技盤の透孔の背後に設置した図柄表示体と、
その図柄表示体の前側正面に所定の間隔を隔てて設置されたレンズと、
図柄表示体とレンズとの間に設置され、レンズの周縁部に沿って枠状をなし、レンズの周縁部に固定されているレンズ取付け枠と、
レンズを介して図柄表示体を臨む窓を有しており、レンズの周縁部の前側に固定され、遊技盤の透孔の孔縁の近傍の前側に固定されているベースフレームとを備えており、
レンズとレンズ取付け枠とベースフレームはアッシー化されており、そのアッシーと図柄表示体はそれぞれ独立してパチンコ機に取付けられており、そのアッシーは遊技盤の前側から脱着可能に取付けられていることを特徴とするパチンコ機。
【発明の詳細な説明】
【０００１】
【産業上の利用分野】
この発明はパチンコ機の図柄表示装置に関する。
【０００２】
【従来の技術】
パチンコ機の遊技盤にはゲームに関連する各種の図柄情報を表示する図柄表示体が取付けられる。
【０００３】
【発明が解決しようとする課題】
図柄表示体の前側に、レンズを配設することがある。レンズが配設された遊技盤の場合、打ち出された球はこのレンズにも衝突するため、破損時の交換はもとより、メンテナンスも必要である。
本発明は、遊技盤に取付けられる図柄表示装置のメンテナンスを容易にすることを課題とするものである。
【０００４】
【課題を解決するための手段】
本発明のパチンコ機は、図柄表示装置を備えたパチンコ機である。前記図柄表示装置は、遊技盤の透孔の背後に設置した図柄表示体と、その図柄表示体の前側正面に所定の間隔を隔てて設置されたレンズと、図柄表示体とレンズとの間に設置されてレンズの周縁部に沿って枠状をなしておりレンズの周縁部に固定されているレンズ取付け枠と、レンズを介して図柄表示体を臨む窓を有しておりレンズの周縁部の前側に固定されて遊技盤の透孔の孔縁の近傍の前側に固定されているベースフレームとを備えている。そして、レンズとレンズ取付け枠とベースフレームはアッシー化されており、そのアッシーと図柄表示体はそれぞれ独立してパチンコ機に取付けられている。そして、そのアッシーは遊技盤の前側から脱着可能に取付けられている。
【０００５】
【作用】
本発明によれば、図柄表示装置を構成する部材のうち、図柄表示体の前側に配設されている部材（レンズ、レンズ取付け枠、ベースフレーム）がアッシー化されており、図柄表示体とは独立してパチンコ機に取付けられている。さらに、このアッシーは遊技盤に前側から取付けられている。このため、このアッシーを遊技盤の前側から容易に脱着することができる。
【０００６】
【発明の効果】
図柄表示体の前側に配設される部材の中で、特にレンズは交換頻度が高い。本発明によれば、図柄表示体を取外すことなく、図柄表示体の前側に配設される部材を遊技盤の前側から容易に脱着することができる。従って、レンズの交換や点検等のメンテナンスが容易となる。
【０００７】
【実施例】
次に、本発明の１実施例を図面にしたがって説明する。
パチンコ機の遊技盤１の中央部付近には図柄表示装置が設置されるとともに、遊技盤１にはその中央部付近に配設されて図柄表示装置が挿通された透孔２と、この透孔２の回りに配設されて入賞口付き役物がそれぞれ挿通された複数個の役物取付け孔３とが開設され、さらに、遊技盤の裏面１ｂの下部には左右１対の横長状の位置決め孔４，４が凹設されている。
【０００８】
図柄表示装置は遊技盤１に一部が透孔２に貫挿された状態で取付けられた前表示ユニット１５と、遊技盤１の裏面１ｂに装着されて前記入賞口付き役物の入賞口に落入して裏面１ｂへ転動した入賞球を誘導する入賞球誘導樋５に取付けら、前表示ユニット１５の背後に隣接して設置された後表示ユニット１６とに分割されている。
【０００９】
入賞球誘導樋５において、その中央部に形成されて遊技盤１の裏面１ｂの若干後方に垂立された中央壁部５ａには遊技盤１の透孔２の後方に隣設された開口部５ｂが開設され、中央壁部５ａの回りには上樋部５ｃと、左右の側樋部５ｄ，５ｄと、左右の下樋部５ｅ，５ｅとが形成され、中央壁部５ａの斜め後下方には図示しない中継基板が取付けられる中継基板取付け部５ｆが形成されている。
【００１０】
中央壁部５ａの前面に凸設された左右１対の凸部５ｇにはそれぞれ位置決め孔６が貫設されている。
【００１１】
中央壁部５ａの前面の左右両端部には縦１列に配列された各３個の取付け片７がそれぞれ突設され、この各取付け片７にはそれぞれビス孔が穿設されている。
【００１２】
中央壁部５ａの後側にはその図示左端部の上下端部に連接された上下１対のＬ形状の位置決め片５ｈと、両側樋部５ｄの内壁部とによって囲まれた後表示ユニット取付け部８が形成され、両側樋部５ｄの内壁部には内壁面が凸円弧面状に湾曲した位置決め部５ｋが上下喰違い状に突出形成されている。
【００１３】
中央壁部５ａの左右両端部の下方にそれぞれ垂直状に形成されて遊技盤１の裏面１ｂに当接された左右の下壁部５ｉの前面には遊技盤１の位置決め孔４内に嵌め込まれて入賞球誘導樋５を遊技盤１の裏面１ｂに対して位置決めする左右１対の位置決め突片９が突設されている。
中央壁部５ａの上下端、上樋部５ｃの基端、左右の側樋部５ｄの外端、下樋部５ｅの外端にそれぞれ連接された取付け片５ｊには遊技盤１の裏面１ｂに各取付け片５ｊにそれぞれ対向して穿設されたねじ孔１０にねじ込まれる取付けビス１１がそれぞれ貫挿され、入賞球誘導樋５は両位置決め孔４および両位置決め突片９によって位置決めされた状態で各取付けビス１１によって遊技盤１の裏面１ｂに取付けられる。
【００１４】
図柄表示装置の前表示ユニット１５において、この前表示ユニット１５のベスフレーム２０は遊技盤１の透孔２の孔縁の近傍で遊技盤面１ａに穿設されたねじ孔にねじ込まれた複数個のビス１９によって遊技盤面１ａに結合されている。
【００１５】
ベースフレーム２０の上端には１個のパチンコ球の通り抜けが可能な球通し口２０ａが開設されるとともに、ベースフレーム２０の上端には球通し口２０ａの開口縁の下部に連接されて後方へ突出された後樋片２１が形成され、この後樋片２１の後端には球通し口２０ａおよび樋片２１内を通り抜けたパチンコ球を入賞球誘導樋５の上樋部５ｃ内へ誘導する誘導片２２がビス着されている。
【００１６】
ベースフレーム２０の上部には球通し口２０ａの下方に隣設された上窓部２０ｂが開口され、ベースフレーム２０の下部には上窓部２０ｂの下方に隣設されて上窓部２０ｂの開口面積より拡大された開口面積を有する表示窓２４が開設されるとともに、ベースフレーム２０の下部には表示窓枠２０ｃの開口縁に全周にわたって連接されて後方へ突出され、透孔２内に嵌め込まれた表示窓枠２０ｃが形成され、この表示窓枠２０ｃの４つのコーナ部の外側面にはそれぞれ取付け片２０ｄが連接されている。
【００１７】
ベースフレーム２０の上部の後面に上窓部２０ｂに対向してビス着されたＬＥＤ基板２５には５個の装飾ＬＥＤ２６と、この装飾ＬＥＤ２６の下方で横１列に配列された４個の記憶数表示ＬＥＤ２７とが接続されている。
【００１８】
ＬＥＤ基板２５の両側方でベースフレーム２０の上部の後側にそれぞれ設置された左右の表示灯基板２８には上下方向へ配列された各３個の表示灯２９が接続されている。
【００１９】
ベースフレーム２０の前面上部にビス着された飾り枠３０の上端には天入賞口３１が開口されるとともに、飾り枠３０の上端の前面にはベースフレーム２０の球通し口２０ａの前側に隣設された前樋片３０ａが突設され、天入賞口３１へ落入した入賞球は前樋片３０ａ内、球通し口２０ａ、後樋片２１内を通り抜けて誘導片２２上へ転動する。
【００２０】
飾り枠３０の上部にはレンズ孔３０ｅが開口され、このレンズ孔３０ｅには前記装飾ＬＥＤ２６によって照射されるレンズ板２３が嵌め込まれている。
【００２１】
飾り枠３０の中央部の左右端部には前記表示灯２９によって照射される左右１対の装飾部３０ｂが形成され、この両装飾部３０ｂの下端にはベースフレーム２０の表示窓枠２０ｃの上側の両コーナ部の前上方および前側方を覆う左右１対の覆い部３０ｃがそれぞれ連接され、両装飾部３０ｂおよび両覆い部３０ｃの内壁面には多数個の微細な突条が形成されている。
【００２２】
飾り枠３０の下部には両覆い部３０ｃ間で横１列に配列されて前記各記憶数表示ＬＥＤ２７がそれぞれ挿入されたＬＥＤ挿入部３０ｄが形成されている。
【００２３】
ベースフレーム２０の表示窓２４の背後には表示窓枠２０ｃの後側に垂立されて正面形状がほぼ長方形状で背後の画像を拡大して映し出す凸レンズ３２が表示窓枠２０ｃを閉塞した状態で設置され、この凸レンズ３２には表示窓枠２０ｃの後端縁に当接された周縁部３２ａと、この周縁部３２ａによって囲まれて前面が凸曲面状に湾曲した透明なレンズ部３２ｂとが形成され、レンズ部３２ｂは表示窓枠２０ｃ内に嵌め込まれている。
【００２４】
凸レンズ３２は、この凸レンズ３２の後側に重ね合わされた方形枠状のレンズ取付け枠３３と、表示窓枠２０ｃの後端縁との間に周縁部３２ａが全周にわたって挟み込まれた状態でビス３７によってレンズ取付け枠３３とともにベースフレーム２０の各取付け片２０ｄに結合されている。
【００２５】
レンズ取付け枠３３には凸レンズ３２の周縁部３２ａの後面に重ね合わされた前枠部３３ａと、この前枠部３３ａの内周縁に連接されて開口面積が後方へ向って漸減した状態で後方へ突出された後枠部３３ｂとが形成され、前枠部３３ａの左右端部の後面および後枠部３３ｂの外壁面にはそれぞれ多数個の微細な凹凸が形成されている。
【００２６】
レンズ取付け枠３３の前枠部３３ａの上端部の左右端部には後方へ並行状に突出されて入賞球誘導樋５の前記両位置決め孔６内に嵌挿され、レンズ取付け枠３３および前表示ユニット１５を入賞球誘導樋５に対して位置決めする左右１対の位置決め片３４が形成されている。
【００２７】
レンズ取付け枠３３の前枠部３３ａの左右端部の後面にそれぞれ突設された上下各１対の突片３３ｃにはそれぞれ縦長状のＬＥＤ基板３５がビス着され、この両ＬＥＤ基板３５には凸レンズ３２の周縁部３２ａの左右端部およびレンズ取付け枠３３の前枠部３３ａの左右端部を後方から照射する各６個の装飾ＬＥＤ３６が接続されている。
【００２８】
図柄表示装置の後表示ユニット１６において、金属板によって作製された収納ボックス４０は入賞球誘導樋５の後表示ユニット取付け部８によって位置決めされて各取付け片７にビス４４によって結合され、レンズ取付け枠３３の後側に設置された前収納部材４１と、この前収納部材４１にその後側からビス５７によって結合されて前収納部材４１と協仂して収納ボックス４０の内部を密封状に覆蓋する後収納部材４２とによって方形箱形状に形成されている。
【００２９】
収納ボックス４０の前収納部材４１には表示ユニット取付け部８内に垂立状態で嵌め込まれた方形板状の前板４１ａが形成され、この前板４１ａにはレンズ取付け枠３３の後端縁の後側に隣設された方形状の窓部４１ｂが開口されるとともに、前板４１ａの両側縁には入賞球誘導樋５の位置決め部５ｋに係合して前収納部材４１を入賞球誘導樋５に対して位置決めする凹部４１ｇがそれぞれ凹円弧状に凹設され、前板４１ａの左右端部にそれぞれ貫設されたねじ挿通孔４１ｃには入賞球誘導樋５の取付け片７のねじ孔にねじ込まれたビス４４がそれぞれ挿通され、前収納部材４１は各ビス４４によって入賞球誘導樋５の後表示ユニット取付け部８に取外し可能に結合されている。
【００３０】
前収納部材４１の前板４１ａの上下端縁には後方へ水平状に延出されて後端部が上下方へ曲折された上下１対の連結片４１ｄがそれぞれ連接され、この両連結片４１ｄの後端にはねじ孔４１ｅが形成されるとともに、両連結片４１ｄには横方向へ配列された複数個の放熱孔４１ｆがそれぞれ開設されている。
【００３１】
収納ボックス４０の後収納部材４２には前収納部材４１の前板４１ａの後方に垂立された方形板状の後板４２ａと、この後板４２ａの左右端縁にそれぞれ直交状に連接されて前端縁が前板４１ａの後面付近に配置された状態で前方へ延出され、上下端部が内方へ直角に曲折された左右１対の側板４２ｂと、後板４２ａの上端縁に連接されて前方へ水平状に延出され、前端部が上方へ曲折されて前収納部材４１の上連結片４１ｄの後端部に重ね合わされた上連結片４２ｃと、後板４２ａの下端縁の左右端部付近に連接されて前方へ水平状に延出され、前端部が下連結片４１ｄの後端部に重ね合わされた左右１対の下連結片４２ｄとが形成されている。上連結片４２ｃには横方向へ配列された複数個の放熱孔４２ｅが開設されている。
【００３２】
後収納部材４２の上下連結片４２ｃ，４２ｄの前端部には前収納部材４１の各ねじ孔４１ｅにそれぞれ対向してねじ挿通孔４２ｆがそれぞれ貫設されている。
【００３３】
後収納部材４２は、上連結片４２ｃの前端部が前収納部材４１の上連結片４１ｄの後端部に重ね合わされ、両下連結片４２ｄの前端部が下連結片４１ａの後端部にそれぞれ重ね合わされた状態で、各ねじ挿通孔４２ｆを貫通して前収納部材４１の各ねじ孔４１ｅにそれぞれ螺嵌されたビス５７によって前収納部材４１に結合されている。
【００３４】
収納ボックス４０の前収納部材４１にはその前板４１ａの後側に重ね合わされた状態で収納ボックス４０内に収納された合成樹脂製の表示体取付け枠４５が結合され、この表示体取付け枠４５には方形板状の前板４５ａと、この前板４５ａの４周縁に連接された角筒状の後枠部４５ｂとが形成され、前板４５ａには前収納部材４１の窓部４１ｂの後側に近接して設置された透明な窓板４５ｃが形成されている。
【００３５】
表示体取付け枠４５の前板４５ａの後面には複数個の取付け片４５ｄと、複数個の位置決め片４５ｅとが突設されている。
【００３６】
表示体取付け枠４５の前板４５ａの後側に位置決め片４５ｅによって位置決めされて重ね合わされた状態で収納ボックス４０内に収納され、ゲームに関連する各種情報を表示する液晶表示パネル４６は表示体取付け枠４５の窓板４５ｃの後側に重ね合わされて前記表示窓２４および前記凸レンズ３２の背後に垂直状に設置されている。
【００３７】
液晶表示パネル４６は図柄の表示が可能で凸レンズ３２の背後に間隙６０を隔てて設置された液晶図柄表示体４６ａと、この液晶図柄表示体４６ａの４周縁が把持された枠部４６ｂとを備えている。
【００３８】
液晶表示パネル４６の枠部４６ｂには表示体取付け枠４５の取付け片４５ｄが嵌挿された複数個のビス挿通孔４６ｃと、位置決め片４５ｅが嵌挿された複数個の位置決め孔とが形成されている。
【００３９】
液晶表示パネル４６の後面に位置決めされて重ね合わされた状態で収納ボックス４０内に収納された表示パネルホルダ４７は合成樹脂材によって正面形状が方形状に形成され、その上下端部に貫設された各ビス挿通孔４７ｂおよび液晶表示パネル４６の各ビス挿通孔４６ｃにそれぞれ挿通されたビス５８によって液晶表示パネル４６とともに表示体取付け枠４５の各取付け片４５ｄに結合されている。液晶表示パネル４６は表示体取付け枠４５の前板４５ａと表示パネルホルダ４７との間に挟み込まれた状態で表示体取付け枠４５内に嵌め込まれている。
【００４０】
表示パネルホルダ４７の各コーナ部付近にはそれぞれ後方へ水平状に突出されて後端面位置が整合された基板取付け片４７ａが形成されている。
【００４１】
表示パネルホルダ４７の後側にはねじ部４９ａとナット部４９ｂとを有するナット付きビス４９によって各基板取付け片４７ａの後端に結合された状態で収納ボックス４０内に収納された前制御回路基板４８が垂直状に設置され、この前制御回路基板４８の下端には液晶表示パネル４６の液晶図柄表示体４６ａと前制御回路基板４８のプリント回路とを接続するコネクタ５０が取付けられている。
【００４２】
前制御回路基板４８の後方には各ナット付きビス４９のナット部４９ｂにビス５１によって結合された状態で収納ボックス４０内に収納された後制御回路基板５２がナット付きビス４９のナット部４９ｂを隔てて垂直状に設置されている。
【００４３】
前後制御回路基板４８，５２にはこの両制御回路基板４８，５２のプリント回路を接続するコネクタ５３，５３がそれぞれ取付けられ、後制御回路基板５２の下端には多数個の接続端子を有し、後制御回路基板５２のプリント回路と中央制御回路等とを接続する多端子コネクタ５４が取付けられている。
【００４４】
前制御回路基板４８と後制御回路基板５２との間には各基板取付け片４７ａの後端に各ビス４９によって前制御回路基板４８とともに結合されて前制御回路基板４８の後側に重ね合わされ、両制御回路基板４８，５２相互のノイズ干渉を防止するノイズ遮蔽板５５が設置されている。
【００４５】
ノイズ遮蔽板５５は２枚の絶縁性の合成樹脂フィルムをこの両合成樹脂フィルム間に金属箔を挟み込んで貼り合わせた弾性曲げ変形可能なサンドイッチ構造を有し、このノイズ遮蔽板５５の金属箔はノイズ消去導線５６によって前制御回路基板４８に接続されている。
【００４６】
両制御回路基板４８，５２からノイズ遮蔽板５５へ伝導されたノイズはノイズ消去導線５６および前制御回路基板４８を介して外部へ導出される。
【００４７】
図柄表示装置を遊技盤１にセットするに際し、入賞球誘導樋５を遊技盤１の裏面１ｂに両位置決め孔４および両位置決め突片９によって位置決めして取付けてから、前表示ユニット１５のレンズ取付け枠３３の両位置決め片３４を入賞球誘導樋５の両位置決め孔６内に嵌挿して前表示ユニット１５を入賞球誘導樋５に対して位置決めした状態でベースフレーム２０を遊技盤面１ａにビス１９によって結合し、前表示ユニット１５を遊技盤１に取付ける。
【００４８】
次に、後表示ユニット１６の収納ボックス４０を入賞球誘導樋５の後表示ユニット取付け部８によって位置決めしてビス４４によって入賞球誘導樋５に結合すると、後表示ユニット１６を入賞球誘導樋５を介して遊技盤１に取付けて前表示ユニット１５の背後に設置することができる。
【００４９】
続いて、上記した構成をもつ実施例の作用と効果を説明する。
本例の図柄表示装置は、表示窓２４が開設されたベースフレーム２０および天入賞口３１を有する前表示ユニット１５と、液晶表示パネル４６および前後制御回路基板４８，５２が収納された収納ボックス４０を有する後表示ユニット１６とからなる。
前表示ユニット１５は、ベースフレーム２０が遊技盤面１ａに結合された状態で、図柄表示装置用の透孔２が開設された遊技盤１に装着されている。液晶図柄表示体４６ａの正面に設置され、液晶図柄表示体４６ａが表示する画像を拡大して映し出す凸レンズ３２は、前表示ユニット１５のレンズ取付け枠３３とともにベースフレーム２０に結合されている。即ち、前表示ユニット１５のレンズ取付け枠３２とベースフレーム２０と凸レンズ３２はアッシー化されている。前表示ユニット１５は、ベースフレーム２０が遊技盤面１ａに前側から取付けられることによって、パチンコ機に取付けられている。
後表示ユニット１６は、収納ボックス４０を入賞球誘導樋５に結合して液晶図柄表示体４６ａを表示窓２４の背後に設置した状態で、遊技盤１の裏面１ｂに位置決めされて取付けられた入賞球誘導樋５に装着される。
即ち、前表示ユニット１５と後表示ユニット１６とはそれぞれ独立してパチンコ機に取付けられている。
【００５０】
レンズ取付け枠３２とベースフレーム２０と凸レンズ３２からなる前表示ユニット１５と、液晶図柄表示体４６ａを有する後表示ユニット１６とは独立して取付けられており、前表示ユニット１５はアッシー化されている。このため、ベースフレーム２０を遊技盤面１ａの前側から脱着することによって、ベースフレーム２０と結合しているレンズ取付け枠３２と凸レンズ３２を遊技盤面１ａの前側から容易に脱着することができる。繊細な配線がなされた液晶図柄表示体４６ａを脱着する煩わしさを回避して、表表示ユニット１５を遊技盤１の前面１ａから容易に脱着することができる。このため、凸レンズ３２の交換や点検等のメンテナンスが容易となる。
【００５１】
また、図柄表示装置を遊技盤１の透孔２内およびその後方の空きスペースを有効に活用してコンパクトに設置することができるとともに、図柄表示装置を、前表示ユニット１５および後表示ユニット１６を入賞球誘導樋５を介して相互に位置合わせした状態で遊技盤１に対して位置ずれを無くして正確にセットすることができる。
さらに、液晶表示パネル４６の液晶図柄表示体４６ａが表示する画像を凸レンズ３２によって拡大画像にして明示することができ、液晶図柄表示体４６ａによる図柄情報を遊技者が見易い状態にして遊技者に伝達することができる。
【図面の簡単な説明】
【図１】本発明の１実施例を示す図柄表示装置の側断面図である。
【図２】同じく、分解側面図である。
【図３】遊技盤の要部の背面図である。
【図４】入賞球誘導樋の背面図である。
【図５】同じく、斜視図である。
【図６】前表示ユニットの正面図である。
【図７】図３のＸ１−Ｘ１線拡大断面図である。
【図８】図３のＸ２−Ｘ２線拡大断面図である。
【図９】図３のＸ３−Ｘ３線拡大断面図である。
【図１０】後表示ユニットの分解側断面図である。
【図１１】同じく、分解斜視図である。
【符号の説明】
１  遊技盤
２  透孔
３２  凸レンズ
４６  液晶表示パネル
４６ａ  液晶図柄表示体
６０  間隙
【図１】
0003683594.tif 000002
【図２】
0003683594.tif 000003
【図３】
0003683594.tif 000004
【図４】
0003683594.tif 000005
【図５】
0003683594.tif 000006
【図６】
0003683594.tif 000007
【図７】
0003683594.tif 000008
【図８】
0003683594.tif 000009
【図９】
0003683594.tif 000010
【図１０】
0003683594.tif 000011
【図１１】
0003683594.tif 000012